【手続補正書】
【提出日】平成19年9月5日(2007.9.5)
【手続補正１】
【補正対象書類名】明細書
【補正対象項目名】全文
【補正方法】変更
【補正の内容】
【書類名】明細書
【発明の名称】    画像処理装置及び画像処理方法
【特許請求の範囲】
【請求項１】  撮影した画像のデータを記録媒体に記録する画像処理装置であって、
連写して得られた一連の画像を撮影された順に順次表示する期間中に、前記一連の画像に対応する画像データを前記記録媒体に転送する
画像処理装置。
【請求項２】  撮影した画像の画像データを出力する撮像部と、
前記画像データを入力とし、これを圧縮して得られた圧縮画像データを出力する一方、前記圧縮画像データを入力とし、これに伸長処理を行って出力する圧縮伸長処理部と、
前記圧縮画像データを記憶する画像メモリと、
前記伸長処理された画像データを記憶する表示メモリと、
前記表示メモリのデータを表示する表示部と、
前記画像メモリが記憶する前記圧縮画像データを記録媒体に記録するインタフェース部とを備え、
前記画像メモリは、
連写して得られた一連の画像の圧縮画像データを記憶し、
前記圧縮伸長処理部は、
前記表示部が前記一連の画像を撮影された順に順次表示する期間中に、前記画像メモリから前記記録媒体への前記一連の画像の圧縮画像データの転送を終えるように、前記一連の画像の圧縮画像データに伸長処理を行って前記表示メモリに出力する
画像処理装置。
【請求項３】  請求項２に記載の画像処理装置において、
前記圧縮伸長処理部は、
前記画像のそれぞれについての縮小画像を生成し、圧縮して得られたデータを前記圧縮画像データとして出力し、
前記表示部が前記一連の画像の縮小画像を撮影された順に、先に表示した縮小画像に順次追加して表示するように、前記一連の画像の圧縮画像データに伸長処理を行って前記表示メモリに出力する
ことを特徴とする画像処理装置。
【請求項４】  請求項２又は３に記載の画像処理装置において、
前記圧縮伸長処理部は、
前記一連の画像のうち前記記録媒体へ転送中の画像を、前記表示部が表示するように、当該画像の圧縮画像データに伸長処理を行って前記表示メモリに出力する
ことを特徴とする画像処理装置。
【請求項５】  請求項２〜４のいずれか１項に記載の画像処理装置において、
前記画像メモリと前記表示メモリとを１つのメモリとして実装する
ことを特徴とする画像処理装置。
【請求項６】  撮影した画像の画像データを出力する撮像部と、
前記画像データを入力とし、これを圧縮して得られた圧縮画像データを出力する一方、前記圧縮画像データを入力とし、これに伸長処理を行って出力する圧縮伸長処理部と、
前記圧縮画像データを記憶する画像メモリと、
前記伸長処理された画像データを記憶する表示メモリと、
前記表示メモリのデータを表示する表示部と、
前記画像メモリが記憶する前記圧縮画像データを記録媒体に記録するインタフェース部とを備え、
連写して得られた一連の画像が前記表示部に表示される期間中に、前記一連の画像に対応する画像データを前記画像メモリから前記記録媒体に転送する
画像処理装置。
【請求項７】  請求項６に記載の画像処理装置において、
前記表示部に表示される一連の画像は、前記圧縮伸長処理部で圧縮された後に前記画像メモリに記憶され、さらに前記圧縮伸長処理部で伸長された後に前記表示メモリに転送されたデータである
ことを特徴とする画像処理装置。
【請求項８】  連写して得られた一連の画像に対応する画像データを撮像部から受け取るステップと、
前記画像データを圧縮伸長処理部により圧縮するステップと、
前記圧縮された画像データを画像メモリに記憶するステップと、
前記圧縮された画像データを前記圧縮伸長処理部により伸長するステップと、
前記伸長された画像データを表示メモリに記憶するステップと、
前記表示メモリに記憶された前記画像データに基づいて前記一連の画像が表示部に表示される期間中に、前記圧縮された画像データを記録媒体に記録するステップとを備える
画像処理方法。
【請求項９】  請求項８に記載の画像処理方法において、
前記画像メモリと前記表示メモリとを１つのメモリとして実装する
ことを特徴とする画像処理方法。
【発明の詳細な説明】
【０００１】
【発明の属する技術分野】
本発明は、撮影して得られた画像データを記録媒体に記録する画像処理装置に関する。
【０００２】
【従来の技術】
従来の画像処理装置では、連続して複数の静止画を撮影する場合（以下では、連写という）には、撮影の間隔を短くするため、画像メモリに一連の画像の圧縮されたデータを格納する。そして、連写終了後に、画像メモリに格納されたデータを記録媒体としてのメディアに転送する。
【０００３】
図７は従来の画像処理装置の構成を示すブロック図である。図７の画像処理装置において、撮像素子を有する撮像部９１が取り込んだ画像データは圧縮伸長処理部９２で圧縮され、画像メモリ９３に出力される。画像メモリ９３に記憶された画像データは、メモリインタフェース９４を介してメディア９８に転送される（データフローＡ）。メディア９８へのデータ転送中には、表示部９６の表示画面をモニタ表示、フリーズ表示又はブラックアウト表示とすることができる。
【０００４】
モニタ表示の場合には、表示部９６は撮像部９１が出力するモニタ画像をそのまま表示する（データフローＣ）。フリーズ表示の場合には、表示部９６は表示メモリ９５に残っている画像データを表示する（データフローＤ）。ブラックアウト表示の場合には、黒を意味するデータで表示メモリ９５のデータを置き換え、表示部９６に表示させる（データフローＤ）。
【０００５】
連写した画像を確認する際には、メディア９８への画像データ転送終了後に、再生処理を行う。すなわち、メディア９８から画像データを読み出し、圧縮伸長処理部９２で伸長処理を行って表示する（データフローＥ）。制御部９７は、データ転送の制御を行っている。
【０００６】
画像を１枚のみ撮影する場合（以下では、単写という）は、画像データをメディアに転送するために要する時間は短く、次の撮影を行えるようになるまでの時間はユーザにはあまり気にならない。しかし、連写の場合は単写の場合とは異なり、撮影後は画像メモリに複数枚の画像データが格納されている。そして、これら複数の画像のデータをメディアに連続して転送するため、次の撮影を行えるようになるまでの時間が長い。
【０００７】
【発明が解決しようとする課題】
このように、従来の画像処理装置では、メディアにデータを記録する処理を行った後に、メディアからデータを取り出して再生する処理を行うため、連写した画像を確認するには長い時間待たなければならないという問題があった。
【０００８】
近年、撮像素子の画素数が増加するのに伴い、連写時に画像メモリからメディアへ転送するデータの量は膨大になっている。このため、連写した画像を確認するために待たなければならない時間が長くなってきている。
【０００９】
また、メディアへの画像データ転送中に、ブラックアウト表示や静止画のフリーズ表示を行うと、ユーザを退屈させてしまい、モニタ表示を行うと、撮像部を駆動させるために電力が必要となるという問題があった。
【００１０】
本発明は、このような問題を解決するものであり、連写終了後、記録媒体に画像データを転送する処理が終了するのを待つことなく、連写して得た画像を確認することができる画像処理装置を提供することを課題とする。
【００１１】
【課題を解決するための手段】
前記課題を解決するため、請求項１の発明が講じた手段は、撮影した画像のデータを記録媒体に記録する画像処理装置であって、連写して得られた一連の画像を撮影された順に順次表示する期間中に、前記一連の画像に対応する画像データを前記記録媒体に転送するものである。
【００１２】
請求項１の発明によると、記録媒体に画像データを転送する処理が終了するのを待つことなく、連写して得た画像を確認することができる。このため、データ転送を中断すべきか否かをデータ転送中に判断することができる。
【００１３】
また、請求項２の発明は、画像処理装置として、撮影した画像の画像データを出力する撮像部と、前記画像データを入力とし、これを圧縮して得られた圧縮画像データを出力する一方、前記圧縮画像データを入力とし、これに伸長処理を行って出力する圧縮伸長処理部と、前記圧縮画像データを記憶する画像メモリと、前記伸長処理された画像データを記憶する表示メモリと、前記表示メモリのデータを表示する表示部と、前記画像メモリが記憶する前記圧縮画像データを記録媒体に記録するインタフェース部とを備え、前記画像メモリは、連写して得られた一連の画像の圧縮画像データを記憶し、前記圧縮伸長処理部は、前記表示部が前記一連の画像を撮影された順に順次表示する期間中に、前記画像メモリから前記記録媒体への前記一連の画像の圧縮画像データの転送を終えるように、前記一連の画像の圧縮画像データに伸長処理を行って前記表示メモリに出力するものである。
【００１４】
請求項２の発明によると、記録媒体に画像データを転送する処理が終了するのを待つことなく、記録媒体に転送されるデータに基づいて、連写して得た画像を確認することができる。このため、データ転送を中断すべきか否かをデータ転送中に判断することができる。また、連写して得た画像の１つとその前後の画像とを比較して、画像の変化を確認することができる。
【００１５】
また、請求項３の発明では、請求項２に記載の画像処理装置において、前記圧縮伸長処理部は、前記画像のそれぞれについての縮小画像を生成し、圧縮して得られたデータを前記圧縮画像データとして出力し、前記表示部が前記一連の画像の縮小画像を撮影された順に、先に表示した縮小画像に順次追加して表示するように、前記一連の画像の圧縮画像データに伸長処理を行って前記表示メモリに出力することを特徴とする。
【００１６】
請求項３の発明によると、複数の縮小画像を含んだマルチ画面表示をするので、連写して得た画像の１つとその前後の画像とを比較して、画像の変化を確認することが容易にできる。
【００１７】
また、請求項４の発明では、請求項２又は３に記載の画像処理装置において、前記圧縮伸長処理部は、前記一連の画像のうち前記記録媒体へ転送中の画像を、前記表示部が表示するように、当該画像の圧縮画像データに伸長処理を行って前記表示メモリに出力することを特徴とする。
【００１８】
請求項４の発明によると、転送処理中の画像が表示されるので、データの転送状況を確認することができる。
【００１９】
また、請求項５の発明は、請求項２〜４のいずれか１項に記載の画像処理装置において、前記画像メモリと前記表示メモリとを１つのメモリとして実装することを特徴とする。
【００２０】
また、請求項６の発明は、画像処理装置として、撮影した画像の画像データを出力する撮像部と、前記画像データを入力とし、これを圧縮して得られた圧縮画像データを出力する一方、前記圧縮画像データを入力とし、これに伸長処理を行って出力する圧縮伸長処理部と、前記圧縮画像データを記憶する画像メモリと、前記伸長処理された画像データを記憶する表示メモリと、前記表示メモリのデータを表示する表示部と、前記画像メモリが記憶する前記圧縮画像データを記録媒体に記録するインタフェース部とを備え、連写して得られた一連の画像が前記表示部に表示される期間中に、前記一連の画像に対応する画像データを前記画像メモリから前記記録媒体に転送するものである。
【００２１】
また、請求項７の発明では、請求項６に記載の画像処理装置において、前記表示部に表示される一連の画像は、前記圧縮伸長処理部で圧縮された後に前記画像メモリに記憶され、さらに前記圧縮伸長処理部で伸長された後に前記表示メモリに転送されたデータであることを特徴とする。
【００２２】
また、請求項８の発明は、画像処理方法として、連写して得られた一連の画像に対応する画像データを撮像部から受け取るステップと、前記画像データを圧縮伸長処理部により圧縮するステップと、前記圧縮された画像データを画像メモリに記憶するステップと、前記圧縮された画像データを前記圧縮伸長処理部により伸長するステップと、前記伸長された画像データを表示メモリに記憶するステップと、前記表示メモリに記憶された前記画像データに基づいて前記一連の画像が表示部に表示される期間中に、前記圧縮された画像データを記録媒体に記録するステップとを備えるものである。
【００２３】
また、請求項９の発明は、請求項８に記載の画像処理方法において、前記画像メモリと前記表示メモリとを１つのメモリとして実装することを特徴とする。
【００２４】
【発明の実施の形態】
以下、本発明の実施の形態について、図面を参照しながら説明する。
【００２５】
図１は本発明の実施形態に係る画像処理装置の構成を示すブロック図である。図１の画像処理装置は、撮像部１と、圧縮伸長処理部２と、画像メモリ３と、インタフェース部としてのメモリインターフェース（メモリＩ／Ｆ）４と、表示メモリ５と、表示部６と、制御部７とを備えている。図１において、点線はデータの流れを示している（データフローＡ及びＢ）。
【００２６】
撮像部１は、例えばＣＣＤ（charge-coupled device）等の固体撮像素子を備えており、入射した画像に応じて映像信号を生成する。撮像部１は更に、映像信号を輝度信号データ及び色差信号データに変換して、圧縮伸長処理部２に出力する。
【００２７】
圧縮伸長処理部２は、撮像部１が出力した輝度信号データ及び色差信号データが表す画像（以下では主画像と称する）から画素を間引いて画像サイズを小さくした縮小画像（以下ではサムネイル画像と称する）を生成し、これらの画像に対してＪＰＥＧ（joint photographic image coding experts group）方式等によって圧縮処理を施し、得られた圧縮画像データを画像メモリ３に出力する。また、圧縮伸長処理部２は、圧縮画像データを画像メモリ３から読み出し、伸長処理を行って主画像又はサムネイル画像を得て、表示メモリ５に出力する。
【００２８】
画像メモリ３は、主画像の圧縮画像データ（主圧縮画像データ）と、サムネイル画像の圧縮画像データ（サムネイル圧縮画像データ）とを記憶する。画像メモリ３は、メモリインターフェース４を介して、記録媒体としてのメディア８との間で圧縮画像データの書き込み、読出しを行う。
【００２９】
メディア８は、画像のデータを保持することができる記録媒体であればよく、例えば、半導体メモリ、磁気記録媒体、光ディスク等であり、着脱可能なものであっても、内蔵型のものであってもよい。ここでは、メディア８は、フラッシュメモリを用いたコンパクトフラッシュであるとする。メディア８の他の例としては、スマートメディア、スーパーディスク等を挙げることができる。
【００３０】
メモリインターフェース４は、圧縮画像データをメディア８に適した形式に変換して、メディア８に書き込み、また、メディア８から読み出したデータを変換し、得られた圧縮画像データを画像メモリ３に出力する。特に図示しないが、メディア８として例えばディスクを用いる場合には、メモリインターフェース４に代えてそのディスクに適したディスクドライブを用いる。
【００３１】
表示メモリ５は、表示用バッファメモリとして動作するものであり、圧縮伸長処理部２が伸長処理を行って出力する画像を記憶し、表示部６に出力する。表示部６は、表示メモリ５が記憶する画像を表示する。
【００３２】
制御部７は、撮像部１、圧縮伸長処理部２、画像メモリ３及び表示メモリ５の動作を制御する。制御部７に指示を与えることにより、圧縮伸長処理部２が画像メモリ３から主画像又はサムネイル画像のいずれの圧縮画像データを読み出し、伸長処理を行って表示部６に表示させるようにするかを選択することができるようになっている。
【００３３】
次に、連写時及び連写終了後の動作について説明する。
【００３４】
連写を行う場合、例えば一定の時間毎に、圧縮伸長処理部２は、撮像部１が出力する主画像のデータからサムネイル画像を求め、これらの画像に圧縮処理を行って、画像メモリ３に出力する。
【００３５】
図２は画像メモリ３の記憶内容を示す説明図である。ｎ（ｎは２以上の整数）枚の画像を連写し終えた場合、画像メモリ３は、図２のように、１枚目の画像についての主圧縮画像データＣＡＵ１及びサムネイル圧縮画像データＣＴＨ１から、ｎ枚目の画像についての主圧縮画像データＣＡＵｎ及びサムネイル圧縮画像データＣＴＨｎまでを記憶している。
【００３６】
画像メモリ３は、メモリインタフェース４には、主圧縮画像データＣＡＵ１〜ＣＡＵｎ及びサムネイル圧縮画像データＣＴＨ１〜ＣＴＨｎを出力するが、圧縮伸長処理部２には、表示部６に表示させる画像に応じて、主圧縮画像データＣＡＵ１〜ＣＡＵｎ又はサムネイル圧縮画像データＣＴＨ１〜ＣＴＨｎのいずれかを出力する。
【００３７】
図３は、サムネイル画像を表示する場合について、図１の画像処理装置の動作の例を説明するタイミングチャートである。図４は、サムネイル画像を表示する場合における表示部６の表示の変化についての説明図である。
【００３８】
図３のように、連写終了後の期間Ｔ３１において、圧縮伸長処理部２は、１枚目の画像のサムネイル圧縮画像データＣＴＨ１のみを画像メモリ３から読み出し、伸長処理を行うことによりサムネイル画像ＴＨ１を得て、表示メモリ５に出力する（図１のデータフローＢ）。
【００３９】
期間Ｔ３２において、画像メモリ３は、１枚目の画像についての主圧縮画像データＣＡＵ１及びサムネイル圧縮画像データＣＴＨ１を、メモリインタフェース４を経由してメディア８に転送し、これらのデータはファイルＦ１としてメディア８に書き込まれる（図１のデータフローＡ）。このとき、表示部６は、図４（ａ）のように、表示メモリ５が格納している１枚目の画像のサムネイル画像ＴＨ１を表示する（図１のデータフローＢ）。すなわち、メディア８に転送中の画像を表示部６が表示する。
【００４０】
次の期間Ｔ３３において、表示部６はサムネイル画像ＴＨ１を表示している。この期間において、圧縮伸長処理部２は、２枚目の画像のサムネイル圧縮画像データＣＴＨ２のみを画像メモリ３から読み出し、伸長処理を行うことによりサムネイル画像ＴＨ２を得て、表示メモリ５に出力する。このとき、制御部７は、表示メモリ５のアドレスを制御して、サムネイル画像ＴＨ２がサムネイル画像ＴＨ１に重ならず、隣り合って表示されるようにする。
【００４１】
期間Ｔ３４において、画像メモリ３は、２枚目の画像についての主圧縮画像データＣＡＵ２及びサムネイル圧縮画像データＣＴＨ２を、メモリインタフェース４を経由してメディア８に転送し、これらのデータはファイルＦ２としてメディア８に書き込まれる。このとき、表示部６は、図４（ｂ）のように、表示メモリ５が格納している１枚目及び２枚目の画像のサムネイル画像ＴＨ１及びＴＨ２を並べて表示する。
【００４２】
同様に、期間Ｔ３５，Ｔ３６において、画像メモリ３は３枚目の画像の圧縮画像データをメディア８に転送し、これらのデータはファイルＦ３としてメディア８へ書き込まれ、表示部６は、図４（ｃ）のようにサムネイル画像ＴＨ１〜ＴＨ３の表示を行う。このような動作を、ｎ枚目の画像の圧縮画像データがメディア８へ書き込まれるまで繰り返す。
【００４３】
このように、圧縮画像データをメディア８に転送する処理と、圧縮画像データを伸長して表示する処理とが並行して行われる。図７のような従来の画像処理装置では、圧縮画像データのメディアへの転送中においては、ブラックアウト表示や、例えばｎ枚目の画像が表示され続けるフリーズ表示等が行われていた。
【００４４】
サムネイル画像は、撮影された順に、それまでに表示されたサムネイル画像に順次追加して表示される。９枚目の画像データの転送中には、図４（ｄ）のように、１〜９枚目の画像のサムネイル画像ＴＨ１〜ＴＨ９を表示する。
【００４５】
以上のように、連写して得られた一連の画像のデータをメディアへ転送する期間中に、これらの画像が表示されるので、連写した全ての画像のデータが転送されるのを待つことなく、画像を確認することができる。また、メディアに転送中の画像が表示されるので、データの転送状況を確認することができる。さらに、図４のように、サムネイル画像を撮影順に並べて表示することにより、連写して得た画像の１つとその前後の画像とを比較して、画像の変化を確認することが容易にできる。
【００４６】
なお、１画面に９枚のサムネイル画像を表示する例を説明したが、１画面に表示するサムネイル画像の数は９枚以外であってもよい。１画面に表示するサムネイル画像の枚数として設定されたｍ（ｍは２以上の整数）を、連写した画像の枚数ｎが越える場合は、１画面に表示するサムネイル画像の数ｍを増やしてもよいし、画面全体をクリアして、再びｍ＋１枚目のサムネイル画像から順次表示するようにしてもよい。
【００４７】
次に、以上のようなサムネイル画像ではなく、縮小されていない主画像を表示する例について説明する。
【００４８】
図５は、主画像を表示する場合について、図１の画像処理装置の動作の例を説明するタイミングチャートである。図６は、主画像を表示する場合における表示部６の表示の変化についての説明図である。
【００４９】
図５のように、連写終了後の期間Ｔ５１において、圧縮伸長処理部２は、１枚目の画像の主圧縮画像データＣＡＵ１のみを画像メモリ３から読み出し、伸長処理を行うことにより主画像ＡＵ１を得て、表示メモリ５に出力する。
【００５０】
期間Ｔ５２において、画像メモリ３は、１枚目の画像についての主圧縮画像データＣＡＵ１及びサムネイル圧縮画像データＣＴＨ１を、メモリインタフェース４を経由してメディア８に転送し、これらのデータはファイルＦ１としてメディア８に書き込まれる。このとき、表示部６は、図６（ａ）のように、表示メモリ５が格納している１枚目の画像の主画像ＡＵ１を表示する。すなわち、メディア８に転送中の画像を表示部６が表示する。
【００５１】
次の期間Ｔ５３において、表示部６は主画像ＡＵ１を表示している。この期間において、圧縮伸長処理部２は、２枚目の画像の主圧縮画像データＣＡＵ２のみを画像メモリ３から読み出し、伸長処理を行うことにより主画像ＡＵ２を得て、表示メモリ５に出力する。このとき、制御部７は、表示メモリ５のアドレスを制御して、主画像ＡＵ２が主画像ＡＵ１に代えて表示されるようにする。
【００５２】
期間Ｔ５４において、画像メモリ３は、２枚目の画像についての主圧縮画像データＣＡＵ２及びサムネイル圧縮画像データＣＴＨ２を、メモリインタフェース４を経由してメディア８に転送し、これらのデータはファイルＦ２としてメディア８に書き込まれる。このとき、表示部６は、図６（ｂ）のように、表示メモリ５が格納している２枚目の画像の主画像ＡＵ２を表示する。
【００５３】
同様に、期間Ｔ５５，Ｔ５６において、画像メモリ３は３枚目の画像の圧縮画像データをメディア８に転送し、これらのデータはファイルＦ３としてメディア８へ書き込まれ、表示部６は、図６（ｃ）のように主画像ＡＵ３の表示を行う。このような動作を、ｎ枚目の画像の圧縮画像データがメディア８へ書き込まれるまで繰り返す。
【００５４】
このように、撮影された順に主画像を順次表示する。９枚目の画像データの転送中には、図６（ｄ）のように、９枚目の画像の主画像ＡＵ９を表示する。
【００５５】
以上のように、連写して得られた一連の画像のデータをメディアへ転送する期間中に、その転送中の画像の主画像が表示される場合においても、連写した全ての画像のデータが転送されるのを待つことなく、連写した画像を確認するとともに、データの転送状況を確認することができる。また、画像が撮影順に順次表示されるので、連写して得た画像の１つとその前後の画像とを比較して、画像の変化を確認することができる。
【００５６】
動きが少ない被写体を連写した場合は、サムネイル画像だけでは画像の変化の確認が難しいことがある。このような場合には、図５，６を参照して説明したように、縮小しない主画像を順次切り換えて表示した方が画像の変化を確認しやすい。
【００５７】
なお、図１の画像処理装置では、画像メモリ３と、表示メモリ５とが別々に設けられているが、１つのメモリに画像メモリ３及び表示メモリ５の機能を持たせるようにしてもよい。この場合、１つのメモリに画像メモリ３の画像データと表示メモリ５の表示用データとを混在させてもよいが、画像データの領域と表示用データの領域とをブロック化して分けた方が処理が容易になる。
【００５８】
また、例えば、図３の期間Ｔ３１におけるサムネイル画像の伸長処理と、期間Ｔ３２における主圧縮画像データＣＡＵ１及びサムネイル圧縮画像データＣＴＨ１のメディア８への転送処理とのように、伸長処理と転送処理とを並行して行ってもよく、この場合、全体の処理時間を短縮することができる。
【００５９】
また、画像データのメディアへの転送中に、その転送中の画像が表示される場合、すなわち、メディアへのデータ転送に同期して表示画面を更新する場合について説明したが、同期しなくてもよい。
【００６０】
例えば、ユーザが画面を確認しやすいように、表示を更新する間隔を変えるようにしてもよい。また、例えば、表示のタイミングを早め、ある画像のメディアへのデータ転送を行う前に、その画像の表示を行うようにしてもよい。すると、ユーザが表示を見て画像データを保存すべきか否かを判断し、それ以降のメディアへのデータ転送をキャンセルすることができるので、不必要なデータを転送することがなくなり、転送処理に要する時間を短縮することができる。
【００６１】
また、連写して得られた一連の画像のデータのメディアへの転送を開始する前に、これらの一連の画像の表示が開始されるようにし、かつ、画像データのメディアへの転送が終了するまでに、全ての画像が表示されるようにしてもよい。
【００６２】
【発明の効果】
以上のように、本発明によると、連写終了後、画像データをメディアに転送し終える前に、撮影した画像を表示するので、長時間待つことなく、連写して得られた画像を確認することができる。また、データ転送中に、フリーズ表示や撮像部の出力を表示するモニタ表示を行わないので、表示部や撮像素子を無駄に駆動させる必要がなく、消費電力を低減することができる。
【図面の簡単な説明】
【図１】
本発明の実施形態に係る画像処理装置の構成を示すブロック図である。
【図２】
画像メモリの記憶内容を示す説明図である。
【図３】
サムネイル画像を表示する場合について、図１の画像処理装置の動作の例を説明するタイミングチャートである。
【図４】
サムネイル画像を表示する場合における表示部の表示の変化についての説明図である。
【図５】
主画像を表示する場合について、図１の画像処理装置の動作の例を説明するタイミングチャートである。
【図６】
主画像を表示する場合における表示部の表示の変化についての説明図である。
【図７】
従来の画像処理装置の構成を示すブロック図である。
【符号の説明】
１  撮像部
２  圧縮伸長処理部
３  画像メモリ
４  メモリインタフェース（インタフェース部）
５  表示メモリ
６  表示部
７  制御部
８  メディア（記録媒体）
Ａ，Ｂ  データフロー
ＡＵ１〜ＡＵ３，ＡＵ９  主画像
ＴＨ１〜ＴＨ９  サムネイル画像（縮小画像）
ＣＡＵ１〜ＣＡＵｎ  主圧縮画像データ
ＣＴＨ１〜ＣＴＨｎ  サムネイル圧縮画像データ